(57)【要約】      （修正有）【課題】受け台と滑り台及び受け板との間の上方向に開放された空隙内への塵埃の侵入を防ぎ調整ボルトへの塵埃の付着を防止し、スムーズな上下動を確保することができるレベリングブロックを提供する。【解決手段】前垂直壁１２と左右に横垂直壁１６とを有する受け台１０と、前垂直壁の軸受溝に回転可能に係合させた高さ調整ボルト２０と、調整ボルトと螺合されて受け台の内床面を前後に摺動する滑り台と、下面に傾斜する底面を有し滑り台の上面の傾斜面に載置され、滑り台の摺動に応じて上下に駆動する受け板とを備え、構造物と構造物との隙間に挿嵌され、滑り台の上下動により隙間の間隔を拡縮するレベリングブロック１において、受け台の前垂直壁及び横垂直壁の上面が平坦に形成され、受け板の端面、前垂直壁及び横垂直壁からなる空隙を塞ぐ板状のカバー３を、前垂直壁及び横垂直壁の上面に載置して設けた。【選択図】図１
0003132984.tif 000002
【実用新案登録請求の範囲】
【請求項１】
前垂直壁と左右に横垂直壁とを有する受け台と、該前垂直壁に設けられた軸受溝に回転可能に係合させた高さ調整ボルトと、該調整ボルトと螺合されて該受け台の内床面を前後に摺動する滑り台と、下面に傾斜する底面を有し、該滑り台の上面の傾斜面に載置され、該滑り台の摺動に応じて上下に駆動する受け板とを備え、構造物と構造物との隙間に挿嵌され、該受け板の上下動により該隙間の間隔を拡縮するレベリングブロックにおいて、
該受け台の前垂直壁及び横垂直壁の上面が平坦に形成され、
該受け板の端面、該前垂直壁及び該横垂直壁からなる空隙を塞ぐ板状のカバーを、該前垂直壁及び該横垂直壁の上面に載置して設けたことを特徴とするレベリングブロック。
【請求項２】
前記受け板の端面と前記カバーの端部が、略当接していることを特徴とする請求項１記載のレベリングブロック。
【請求項３】
前記カバーが、前記軸受溝の上部開口を塞ぐ鍔を備えることを特徴とする請求項１又は請求項２記載のレベリングブロック。
【請求項４】
前記カバーが、左右両横端から屈曲して垂下する側板を備え、
該側板が前記受け台の横垂直壁方向に付勢して挟持されることを特徴とする請求項１〜請求項３のいずれかに記載のレベリングブロック。
【考案の詳細な説明】
【技術分野】
【０００１】
本考案は、構造物と構造物との隙間に挿嵌され、該隙間の間隔を拡縮するレベリングブロックに関する。
【背景技術】
【０００２】
従来より、大型機械等の構造物の底面と該構造物を据え付ける基礎との間に載置し、構造物の底面と基礎との隙間の間隔を調整し構造物の高さを定めるためにレベリングブロックが用いられてきた。従来のレベリングブロックとしては、例えば、特許文献１に示されているようなものがある。
【０００３】
特許文献１のレベリングブロックは、断面略Ｌ字状で上方に開放された受け台と、受け台上に摺動自在に支持された滑り台と、滑り台の上面に設けられ滑り面が摺動することにより上下に移動する受け板と、受け台の起立部分と滑り台との間に締結された調整ボルトとを備えている。そして、調整ボルトを回転させることにより滑り台が摺動し、受け板上に載置された構造物が上下する。
【特許文献１】特開２０００−３３４６３１号公報
【考案の開示】
【考案が解決しようとする課題】
【０００４】
しかしながら、従来のレベリングブロックでは、受け台の起立部分と滑り台及び受け板との間に上方向に開放された空隙があり、調整ボルトの該空隙を通過する部分が露出した状態になっていることから、この空隙に切削屑等の塵埃が入りやすく、調整ボルトに塵埃が付着してスムーズな上下動を妨げるという問題があった。
【０００５】
本考案は、このような事情に鑑みてなされたもので、受け台と滑り台及び受け板との間の上方向に開放された空隙内への塵埃の侵入を防ぎ調整ボルトへの塵埃の付着を防止し、スムーズな上下動を確保することができるレベリングブロックを提供することにある。
【課題を解決するための手段】
【０００６】
請求項１記載のレベリングブロックは、前垂直壁と左右に横垂直壁とを有する受け台と、前垂直壁に設けられた軸受溝に回転可能に係合させた高さ調整ボルトと、調整ボルトと螺合されて受け台の内床面を前後に摺動する滑り台と、下面に傾斜する底面を有し滑り台の上面の傾斜面に載置され、滑り台の摺動に応じて上下に駆動する受け板とを備え、構造物と構造物との隙間に挿嵌され、受け板の上下動により該隙間の間隔を拡縮するレベリングブロックにおいて、受け台の前垂直壁及び横垂直壁の上面が平坦に形成され、受け板の端面、前垂直壁及び横垂直壁からなる空隙を塞ぐ板状のカバーを、前垂直壁及び横垂直壁の上面に載置して設けたことを特徴とする。
【０００７】
請求項２記載のレベリングブロックは、受け板の端面とカバーの端部が、略当接していることを特徴とする。
【０００８】
請求項３記載のレベリングブロックは、カバーが、軸受溝の上部開口を塞ぐ鍔を備えることを特徴とする。
【０００９】
請求項４記載のレベリングブロックは、カバーが、左右両横端から屈曲して垂下する側板を備え、側板が受け台の横垂直壁方向に付勢して挟持されることを特徴とする。
【考案の効果】
【００１０】
請求項１の考案によれば、受け台の前垂直壁及び横垂直壁の上面が平坦に形成され、受け板の端面、前垂直壁及び横垂直壁からなる空隙を塞ぐ板状のカバーを、前垂直壁及び横垂直壁の上面に載置して設けたことから、空隙内への塵埃の侵入を防ぎ調整ボルトへの塵埃の付着を防止し、スムーズな上下動を確保することができる。
【００１１】
請求項２の考案によれば、受け板の端面とカバーの端部が略当接していることから、隙間が生じにくく、空隙内への塵埃の侵入を防ぎ調整ボルトへの塵埃を防止し、スムーズな上下動を確保することができる。
【００１２】
請求項３の考案によれば、カバーが軸受溝の上部開口を塞ぐ鍔を備えることから、調整ボルトへの塵埃を防止し、スムーズな上下動を確保することができる。
【００１３】
請求項４の考案によれば、カバーが左右両横端から屈曲して垂下する側板を備え、側板が受け台の横垂直壁方向に付勢して挟持されることから、振動等によってもカバーが外れにくく、空隙内への塵埃の侵入を防ぎ調整ボルトへの塵埃を防止し、スムーズな上下動を確保することができる。また、カバーを容易に取り外すことができることから、上下の高さを調整する場合、調整しろを確認しながら調整することができる。
【考案を実施するための最良の形態】
【００１４】
以下、本考案の形態について図面を参照しながら具体的に説明する。本考案の形態におけるレベリングブロックは、構造物と構造物との隙間に挿嵌され、該隙間の間隔を拡縮して調整するものである。図１は、本考案に係るレベリングブロックの一例を示す斜視図である。図２は、同レベリングブロックのカバーの斜視図である。図３は、同レベリングブロックのカバーを取り外した状態を示す斜視図である。図４は、同レベリングブロックの縦断面図である。
【００１５】
図において、本実施例のレベリングブロック１は、カバー３、受け台１０、調整ボルト２０、受け板２２、滑り台２８等から構成されている。受け台１０は、底面を構成する長方形の厚板の一短部から起立する前垂直壁１２と、前垂直壁１６に連続して左右に横垂直壁１６が起立している。前垂直壁１２の中央には上下方向には、後述する調整ボルト２０のボルト頭付近を保持する軸受溝１４が穿設されている。また、前垂直壁１２と横垂直壁１６の上面は、平坦に形成され、後述カバー３が当接するカバー当接面１８となっている。
【００１６】
滑り台２８は、底面２８ｂが平坦で、上面に傾斜面２８ａを有するブロックで、底面２８ｂが受け台１０の内底面１０ｂに載置されている。そして、前垂直壁１２の軸受溝１４に回転自在に軸支された調整ボルト２０の先端が螺号されている。
【００１７】
受け板２２は、上面に平坦面２４を有し、底面２２ａが滑り台２８の傾斜面２８ａと密接する傾斜を有するブロックで、底面２２ａが滑り台２８の傾斜面２８ａに載置されている。また、受け板２２は、左右に規制鍔２３を有し、受け台１０の左右の横垂直壁１６の上面に凹状に穿設されたガイド溝１６ａに嵌合している。
【００１８】
このように構成されたレベリングブロック１は、図３に示すように、受け板２２の端面２６、前垂直壁１２及び横垂直壁１６に囲まれた部分に、上方に開放された空隙１０ａが形成されている。本実施例のレベリングブロック１は、この空隙１０ａを塞ぐように、図２に示すカバー３を備えている。カバー３は、前垂直壁１２及び横垂直壁１６のカバー当接面１８を覆う上板３２と、上板３２の左右両横端から垂下する側板３４を備えている。側板３４は、略く字状に屈曲している。また、上板３２と受け板２２の端面２６と接しない側の端部からは、前垂直壁１２の軸受溝１４を塞ぐ溝用鍔３６が垂下している。このような構造のカバー３が、上板３２の下面が、受け台１０のカバー当接面１８に接するように受け台１０に載置され、上板３２の端部３２ａが受け板２２の端面２６に略当接し、側板３４が横垂直壁１６方向に付勢して挟持される。
【００１９】
以上のような構成のレベリングブロック１を構造物と構造物との隙間に挿嵌し、隙間の間隔を拡縮するには、調整ボルト２０を回転させるようにする。調整ボルト２０が回転することにより、滑り台２８が受け台１０の内底面１０ｂを摺動する。そして、滑り台２８が摺動することにより受け板２２も同時に移動しようとするが、受け板２２の規制鍔２３が横垂直壁１６のガイド溝１６ａにより前後方向に規制されていることから、受け板２２は滑り台２８と同様に摺動することができず、受け板２２の底面２２ａと滑り台２８の傾斜面２８ａの傾きに呼応して、受け板２２が上下動することになる。受け板２２が上下動するとき、カバー３の端部３２ａと受け板２２の端面２６は、常時略当接した状態である。
【００２０】
以上のように、本実施例のレベリングブロック１によれば、受け台１０の前垂直壁１２及び横垂直壁１６の上面であるカバー当接面１８が平坦に形成され、受け板２２の端面２６、前垂直壁１２及び横垂直壁１６からなる空隙１０ａを塞ぐ板状のカバー３を、前垂直壁１２及び横垂直壁１６の上面であるカバー当接面１８に載置して設けたことから、空隙１０ａ内への塵埃の侵入を防ぎ調整ボルト２０への塵埃の付着を防止し、スムーズな上下動を確保することができる。
【００２１】
また、受け板２２の端面２６とカバー３の端部３２ａが略当接していることから、隙間が生じにくく、空隙１０ａ内への塵埃の侵入を防ぎ調整ボルト２０への塵埃を防止し、スムーズな上下動を確保することができる。
【００２２】
さらに、カバー３が軸受溝１４の上部開口を塞ぐ鍔である溝用鍔３６を備えることから、調整ボルト２０への塵埃を防止し、スムーズな上下動を確保することができる。
【００２３】
さらに、カバー３が左右両横端から屈曲して垂下する側板３４を備え、側板３４が受け台１０の横垂直壁１６方向に付勢して挟持されることから、振動等によってもカバー３が外れにくく、空隙１０ａ内への塵埃の侵入を防ぎ調整ボルト２０への塵埃を防止し、スムーズな上下動を確保することができる。また、レベリングブロック１のレベル（上下の高さ）を調整する場合、カバー３を容易に取り外すことができることから、調整しろを確認しながら調整することができる。
【産業上の利用可能性】
【００２４】
以上のように、本考案によれば、受け台と滑り台及び受け板との間の上方向に開放された空隙内への塵埃の侵入を防ぎ調整ボルトへの塵埃の付着を防止し、スムーズな上下動を確保することができるレベリングブロックを提供することができる。
【図面の簡単な説明】
【００２５】
【図１】本考案に係るレベリングブロックの一例を示す斜視図である。
【図２】同レベリングブロックのカバーの斜視図である。
【図３】同レベリングブロックのカバーを取り外した状態を示す斜視図である。
【図４】同レベリングブロックの縦断面図である。
【符号の説明】
【００２６】
１・・・・・レベリングブロック
３・・・・・カバー
１０・・・・受け台
１０ａ・・・空隙
１０ｂ・・・内底面
１２・・・・前垂直壁
１４・・・・軸受溝
１６・・・・横垂直壁
１６ａ・・・ガイド溝
１８・・・・カバー当接面
２０・・・・調整ボルト
２２・・・・受け板
２２ａ・・・底面
２３・・・・規制鍔
２４・・・・平坦面
２６・・・・端面
２８・・・・滑り台
２８ａ・・・傾斜面
２８ｂ・・・底面
３２・・・・上板
３２ａ・・・端部
３４・・・・側板
３６・・・・溝用鍔
【図１】
0003132984.tif 000003
【図２】
0003132984.tif 000004
【図３】
0003132984.tif 000005
【図４】
0003132984.tif 000006